(57)【要約】【課題】シャッタ部材が撮像レンズや撮像素子の制約を受けずに容易に製作でき、且つ非撮影時に撮像レンズを保護できる。【解決手段】シャッタ部材１４を撮像レンズ２５の被写体側に配置した。従って、撮像レンズ２５や撮像素子によってシャッタ部材１４が制約を受けることがなく、シャッタ部材１４の設計および製作が容易にでき、これによりシャッタ部材１４の小型化および薄型化が図れ、これに伴ってカメラ全体の小型化および薄型化を図ることができると共に、非撮影時にシャッタ部材１４によって撮像レンズ２５を保護することができる。この場合、撮像レンズ２５と撮像素子とを一体化した撮像ユニット１３の被写体側にシャッタ部材１４を別構成で配置することにより、撮像ユニット１３に対するシャッタ部材１４の位置合わせが簡単になり、撮像ユニット１３とシャッタ部材１４との組み込み作業を精度良く容易にでき、これにより生産性の向上が図れる。【選択図】　　　　図３
2004015602.tif 000002
【特許請求の範囲】
【請求項１】
被写体の像を撮像レンズで撮像素子に投影し、この投影された像を前記撮像素子で画像データとして取り込む撮像装置において、
前記撮像レンズの被写体側に、撮影時に開閉自在に開き且つ非撮影時に閉じて前記撮像レンズを覆うシャッタ部材を配置したことを特徴とする撮像装置。
【請求項２】
被写体の像を撮像レンズで撮像素子に投影し、この投影された像を前記撮像素子で画像データとして取り込む撮像装置において、
前記撮像レンズと前記撮像素子とを一体化して撮像ユニットを構成し、この撮像ユニットの被写体側に、撮影時に開閉自在に開き且つ非撮影時に閉じて前記撮像レンズを覆うシャッタ部材を別構成で配置したことを特徴とする撮像装置。
【請求項３】
前記撮像レンズの前記被写体側で且つ前記シャッタ部材よりも像面側に固定絞りを配置したことを特徴とする請求項１または２に記載の撮像装置。
【請求項４】
前記シャッタ部材の少なくとも一部は、本体ケースの表面に設けられた飾り部の内部に配置されていることを特徴とする請求項１〜３のいずれかに記載の撮像装置。
【発明の詳細な説明】
【０００１】
【発明の属する技術分野】
この発明は、カード型カメラや携帯型電話機に用いられる撮像装置に関する。
【０００２】
【従来の技術】
例えば、カード型カメラに用いられる撮像装置においては、撮像レンズ、ＣＣＤなどの撮像素子、および機械的なシャッタ部材を備え、撮像レンズと撮像素子との間にシャッタ部材を配置し、このシャッタ部材を開閉動作させて開くことにより、撮像レンズで被写体の像を撮り込んで撮像素子に投影し、この投影された像を撮像素子で電気信号に変換して画像データとして取り込むように構成されている。
【０００３】
【発明が解決しようとする課題】
しかしながら、このような撮像装置では、撮像レンズと撮像素子との間にシャッタ部材を配置しているので、撮像レンズと撮像素子とによってシャッタ部材が制約を受けることになり、このためシャッタ部材の設計および製作が煩雑で面倒になり、しかも撮像レンズと撮像素子とを光軸上に正確に位置合わせした上、更にその間にシャッタ部材を位置合わせしなければならないため、撮像レンズ、撮像素子、およびシャッタ部材の組み込み作業に高い精度が要求され、組み込み作業が面倒で、生産性が悪いなどの問題がある。
【０００４】
また、この撮像装置では、撮像レンズと撮像素子との間にシャッタ部材を配置しているため、使用しないときにも撮像レンズが露出することになり、このため撮像レンズが汚れたり傷付いたりする恐れがあるので、撮像レンズを保護するためのレンズキャップが必要となり、その分、部品点数が増えるという問題もある。
【０００５】
この発明の課題は、シャッタ部材が撮像レンズや撮像素子によって制約を受けず、容易に製作できると共に、非撮影時に撮影レンズを保護することができるようにすることである。
また、この発明の他の課題は、撮像レンズ、撮像素子、およびシャッタ部材の組み込み作業を精度良く容易にできるようにすることである。
【０００６】
【課題を解決するための手段】
請求項１に記載の発明は、被写体の像を撮像レンズで撮像素子に投影し、この投影された像を前記撮像素子で画像データとして取り込む撮像装置において、前記撮像レンズの被写体側に、撮影時に開閉自在に開き且つ非撮影時に閉じて前記撮像レンズを覆うシャッタ部材を配置したことを特徴とする撮像装置である。
この発明によれば、シャッタ部材を撮像レンズの被写体側に配置したので、撮像レンズや撮像素子によってシャッタ部材が制約を受けることがなく、このためシャッタ部材の設計および製作が容易にでき、これによりシャッタ部材の小型化および薄型化を図ることができ、これに伴って装置全体の小型化および薄型化を図ることができると共に、非撮影時にシャッタ部材が開閉自在に閉じて撮像レンズを覆うので、非撮影時に撮像レンズが汚れたり傷付いたりしないように、撮像レンズをシャッタ部材によって確実に保護することができる。
【０００７】
請求項２に記載の発明は、被写体の像を撮像レンズで撮像素子に投影し、この投影された像を前記撮像素子で画像データとして取り込む撮像装置において、前記撮像レンズと前記撮像素子とを一体化して撮像ユニットを構成し、この撮像ユニットの被写体側に、撮影時に開閉自在に開き且つ非撮影時に閉じて前記撮像レンズを覆うシャッタ部材を別構成で配置したことを特徴とする撮像装置である。
この発明によれば、撮像レンズと撮像素子とを一体化した撮像ユニットの被写体側にシャッタ部材を別構成で配置したので、請求項１に記載の発明と同様の作用効果があるほか、特に撮像ユニットに対しシャッタ部材を位置合わせするだけで良いので、撮像ユニットとシャッタ部材との組み込み作業を精度良く容易に行うことができ、これにより生産性の向上を図ることができる。
【０００８】
請求項３に記載の発明は、前記撮像レンズの前記被写体側で且つ前記シャッタ部材よりも像面側に固定絞りを配置したことを特徴とする請求項１または２に記載の撮像装置である。
この発明によれば、請求項１または２に記載の発明と同様の作用効果があるほか、特に撮像レンズの被写体側で且つシャッタ部材よりも像面側に固定絞りを配置したので、固定絞りの至近位置にシャッタ部材を配置することができ、これにより露光むらを防ぐことができると共に、絞りが固定絞りであるから、可動絞りを用いた場合に比べてシャッタ部材をコンパクトに構成することができ、これによっても装置全体の小型化および薄型化を図ることができる。
【０００９】
請求項４に記載の発明は、前記シャッタ部材の少なくとも一部が、本体ケースの表面に設けられた飾り部の内部に配置されていることを特徴とする請求項１〜３のいずれかに記載の撮像装置である。
この発明によれば、請求項１〜３のいずれかに記載の発明と同様の作用効果があるほか、特に本体ケースの表面に設けられる飾り部内にシャッタ部材の少なくとも一部を配置することにより、撮像装置が組み込まれる本体ケースの薄型化を図ることができ、これによっても機器全体の小型化および薄型化を図ることができる。
【００１０】
【発明の実施の形態】
以下、図１〜図５を参照して、この発明の撮像装置をカード型カメラに適用した一実施形態について説明する。
図１はこの発明のカード型カメラを前面側から見た斜視図、図２はそのカード型カメラを後面側から見た斜視図、図３は図１の要部を示した分解斜視図、図４は図３の側面図、図５は図３の撮像ユニットを示した拡大断面図である。
このカード型カメラは、図１および図２に示すように、カメラ本体１を備えている。このカメラ本体１は、フロントケース２とリアケース３とからなり、これらフロントケース２およびリアケース３のいずれも、ステンレスなどの剛性の高い金属製の薄板で形成されている。
【００１１】
この場合、フロントケース２の前面における右上隅には、図１に示すように、撮影装置４が設けられており、その左側に位置する個所には光学ファインダ５が設けられ、その更に左側に位置する個所にはストロボ発光部６が設けられている。また、このフロントケース２とリアケース３の上面における前面左側（図２では右側）には、シャッタ釦７および第１メニュー釦８が設けられている。一方、リアケース３の後面（図２では前面）における左側に位置する個所には、図２に示すように、表示部９が設けられており、その右側に位置する個所には十字方向に操作可能なカーソルキー１０が設けられている。このカーソルキー１０の上側および右側に位置する個所には、第２メニュー釦１１、電源キー１２がそれぞれ設けられているほか、表示部９の上側に位置する個所には、光学ファインダ５がフロントケース２側から連続して設けられている。
【００１２】
撮像装置４は、図３および図４に示すように、撮像ユニット１３とシャッタ部材１４とを備え、撮像ユニット１３の被写体側（図３では手前側）にシャッタ部材１４が配置されていると共に、この撮像ユニット１３の側部（図３では左側）に光学ファインダ５が配置され、この状態で撮像ユニット１３、シャッタ部材１４、および光学ファインダ５がカメラ本体１内に組み付けられるように構成されている。この場合、撮像ユニット１３は、図５に示すように、基板１５に設けられたホルダ部材１６内に撮像部１７および水晶フィルタ１８が設けられ、このホルダ部材１６の先端部（同図では左端部）にレンズ部１９が設けられ、これら撮像部１７、水晶フィルタ１８、およびレンズ部１９の各中心が光軸２０上に位置した状態で配置されるように構成されている。
【００１３】
撮像部１７は、図５に示すように、ホルダ部材１６内の基板１５に設けられた固定台２１と、この固定台２１の凹部２１ａ内に収納されたＣＣＤなどの撮像素子２２と、この撮像素子２２を覆って固定台２１に設けられたカバーガラス２３とを備え、レンズ部１９で撮り込んだ被写体の像に応じて撮像素子２２が電気信号を出力するように構成されている。水晶フィルタ１８は、光学ローパスフィルタであり、撮像部１７の被写体側（図５では左側）に対応した状態でホルダ部材１６内に配置されている。レンズ部１９は、ホルダ部材１６の先端部（図５では左端部）に取り付けられた鏡筒２４を備え、この鏡筒２４内に撮像レンズ２５および固定絞り２６が像面側（図５では右側）から順に設けられた構造になっている。
【００１４】
この場合、鏡筒２４は、図５に示すように、円筒状に形成されており、その内部における中間部分には、撮像レンズ２５を保持する鍔部２７が形成されている。この鍔部２７の内周面は、固定絞り２６による画角を制限しないように、被写体側（同図では左側）が撮像レンズ２５のレンズ機能部分よりも大きな径で、この径よりも像面側（同図では右側）が更に大きな径をなすテーパ状に形成されている。また、この鏡筒２４内における鍔部２７の被写体側（同図では左側）には、撮像レンズ２５および固定絞り２６が装着する装着凹部２８が形成されている。なお、この鏡筒２４は、その外周面に形成された雄ねじ２４ａがホルダ部材１６の内周面に形成された雌ねじ１６ａに螺合することにより、ホルダ部材１６に取り付けられている。
【００１５】
また、撮像レンズ２５は、図５に示すように、被写体側（同図では左側）に凹面を向けたメニスカス凸レンズであり、その外周部が中心部のレンズ厚と同じか、それよりも薄い平坦状に形成されている。この撮像レンズ２５は、被写体側から装着凹部２８内に挿入され、その外周部の平坦状の後面（同図では右側面）が鍔部２７に接着剤で接着されて装着凹部２８内に固定されている。固定絞り２６は、撮像レンズ２５のレンズ厚に対して十分に薄い薄板状に形成され、その外形が撮像レンズ２５とほぼ同じか、それよりも大きく形成され、且つその中心部に光軸２０を中心とする円形状の貫通孔２６ａが形成されている。この固定絞り２６は、装着凹部２８内に被写体側から挿入されて撮像レンズ２５の前面（同図では左側面）に密着し、且つ固定絞り２６の前面（同図では左側面）が鏡筒２４の先端面とほぼ同一平面をなした状態で、装着凹部２８内に接着剤で固定されている。
【００１６】
一方、シャッタ部材１４は、図３に示すように、シャッタケース３０を備え、このシャッタケース３０内にシャッタ羽根３１が回動可能に取り付けられていると共に、このシャッタケース３０にシャッタ羽根３１を駆動するアクチュエータ３２が取り付けられ、このアクチュエータ３２でシャッタ羽根３１を回動させることにより、シャッタケース３０の中心部にその表裏（図３では前後）に貫通して設けられた円形状のシャッタ孔３３をシャッタ羽根３１で開閉するように構成されている。この場合、シャッタケース３０は、そのシャッタ孔３３の中心が撮像ユニット１３の光軸２０上に位置した状態で、図３および図４に示すように、フロントケース２の飾り部３４内に収納されている。
【００１７】
飾り部３４は、フロントケース２の内面側（図３では後面側）に配置されるハウジング３５と、フロントケース２の前面側（図３では手前側）に配置される飾りリング３６とからなり、ハウジング３５を介してシャッタケース３０をフロントケース２に取り付けるように構成されている。すなわち、ハウジング３５は、図３および図４に示すように、衝撃を吸収する軟質の合成樹脂によって段差を有するほぼ円板状に形成されている。このハウジング３５の内部には、シャッタケース３０が挿入する収納凹部３７が設けられており、その先端部（図３では手前側の端部）には、円形状の貫通孔３５ａがシャッタケース３０のシャッタ孔３３に対応して設けられている。
【００１８】
また、このハウジング３５は、図４に示すように、その先端部（同図では左端部）がフロントケース２の右上隅に設けられた円形状の開口部３８内に挿入されてフロントケース２の前面側（同図では左側）に突出し、この状態でフロントケース２内に取り付けられるように構成されている。また、飾りリング３６は、装飾性を有する金属板によってほぼリング状に形成され、フロントケース２の開口部３８から前面側に突出したハウジング３５の先端部の外周に装着され、これによりハウジング３５の先端部を覆い隠すように構成されている。
【００１９】
このようなカード型カメラによれば、撮像ユニット１３の撮像レンズ２５の被写体側にシャッタ部材１４を配置したので、撮像レンズ２５や撮像素子２２によってシャッタ部材１４が制約を受けることがなく、このためシャッタ部材１４の設計および製作が容易にでき、これによりシャッタ部材１４の小型化および薄型化を図ることができ、ひいてはカメラ全体の小型化および薄型化を図ることができる。特に、シャッタ部材１４が撮像レンズ２５の被写体側に配置されているので、非撮影時にシャッタ部材１４で撮像レンズ２５を開閉自在に覆うことができ、このため非撮影時に撮像レンズ２５が汚れたり傷付いたりしないように、撮像レンズ２５をシャッタ部材１４によって確実に保護することができる。
【００２０】
また、このカード型カメラでは、撮像レンズ２５および撮像素子２２を撮像ユニット１３として一体化し、この撮像ユニット１３とは別にシャッタ部材１４を構成し、このシャッタ部材１４を撮像ユニット１３の被写体側に別構成で配置したので、組み立て時にシャッタ部材１４を撮像ユニット１３に対し位置合わせするだけで良く、このため撮像ユニット１３とシャッタ部材１４との組み込み作業を精度良く容易に行うことができ、これにより生産性の向上を図ることができ、低価格なものを得ることができる。
【００２１】
また、このカード型カメラでは、撮像レンズ２５の被写体側で且つシャッタ部材１４よりも像面側に固定絞り２６を配置したので、固定絞り２６の至近位置にシャッタ部材１４を配置することができ、これにより露光むらを防ぐことができると共に、絞りが固定絞り２６であるから、可動絞りを用いた場合に比べてシャッタ部材１４をコンパクトに構成することができ、これによってもカメラ全体の小型化および薄型化を図ることができる。特に、固定絞り２６を撮像レンズ２５のレンズ厚に対して十分に薄い薄板状に形成し、この固定絞り２６を撮像レンズ２５に密着させた状態で、鏡筒２４の装着凹部２８内に撮像レンズ２５と共に固定しているので、固定絞り２６の厚みを十分に薄くすることができ、これにより光軸２０方向における長さを短くすることができるので、撮像ユニット１３の小型化および薄型化を図ることができる。
【００２２】
さらに、このカード型カメラでは、フロントケース２の前面に突出して設けられる飾り部３４内にシャッタ部材１４のシャッタケース３０を収納した状態で、シャッタ部材１４をフロントケース２内に配置したので、フロントケース２とリアケース３とからなるカメラ本体１の厚みを薄くすることができ、これによってもカメラ全体の小型化および薄型化を図ることができる。この場合、飾り部３４は、フロントケース２の内面側に配置されるハウジング３５を軟質の合成樹脂で形成し、このハウジング３５の収納凹部３７にシャッタケース３０を収納しているので、このハウジング３５でシャッタ部材１４に衝撃が加わらないように吸収してシャッタ部材１４を保護することができる。また、ハウジング３５の先端部をフロントケース２の開口部３８から前面側に突出させても、この突出したハウジング３５の外周に飾りリング３６を装着してハウジング３５の先端部を覆い隠しているので、外観的にもデザイン的にも好ましいものを得ることができる。
【００２３】
なお、上記実施形態では、カード型カメラに適用した場合について述べたが、これに限らず、例えば携帯型電話機やモバイルなどの電子機器に組み込んで使用することもできるほか、小型カメラとして単独で用いることができる。
【００２４】
【発明の効果】
以上説明したように、この発明によれば、シャッタ部材を撮像レンズの被写体側に配置したので、撮像レンズや撮像素子によってシャッタ部材が制約を受けることがなく、このためシャッタ部材の設計および製作が容易にでき、これによりシャッタ部材の小型化および薄型化を図ることができ、これに伴って装置全体の小型化および薄型化を図ることができると共に、非撮影時にシャッタ部材が開閉自在に閉じて撮像レンズを覆うので、非撮影時に撮像レンズが汚れたり傷付いたりしないように、撮像レンズをシャッタ部材によって確実に保護することができる。特に、撮像レンズと撮像素子とを一体化した撮像ユニットの被写体側にシャッタ部材を別構成で配置したので、撮像ユニットに対しシャッタ部材を位置合わせするだけで良く、このため撮像ユニットとシャッタ部材との組み込み作業を精度良く容易に行うことができ、これにより生産性の向上を図ることができる。
【００２５】
この場合、固定絞りを撮像レンズの被写体側で且つシャッタ部材よりも像面側に配置することにより、固定絞りの至近位置にシャッタ部材を配置することができ、これにより露光むらを防ぐことができると共に、絞りが固定絞りであるから、可動絞りを用いた場合に比べてシャッタ部材をコンパクトに構成することができ、これによっても装置全体の小型化および薄型化を図ることができる。
また、本体ケースの表面に設けられる飾り部内にシャッタ部材の少なくとも一部を配置することにより、撮像装置が組み込まれる本体ケースの薄型化を図ることができ、これによっても機器全体の小型化および薄型化を図ることができる。
【図面の簡単な説明】
【図１】この発明をカード型カメラに適用して前面側から見た斜視図。
【図２】図１のカード型カメラを後面側から見た斜視図。
【図３】図１の撮像装置を示した分解斜視図。
【図４】図３の側面図。
【図５】図３の撮像ユニットの拡大断面図。
【符号の説明】
１　カメラ本体
２　フロントケース
３　リアケース
４　撮像装置
１３　撮像ユニット
１４　シャッタ部材
１７　撮像部
１９　レンズ部
２０　光軸
２２　撮像素子
２５　撮像レンズ
２６　固定絞り
３０　シャッタケース
３１　シャッタ羽根
３２　アクチュエータ
３４　飾り部
３５　ハウジング
３６　飾りリング
【図１】
2004015602.tif 000003
【図２】
2004015602.tif 000004
【図３】
2004015602.tif 000005
【図４】
2004015602.tif 000006
【図５】
2004015602.tif 000007